(57)【要約】【課題】導光板の前にフィルムを配置してなる面状照明装置であって、導光板に対してフィルムを独立して配置することができ、これにより、フィルムが導光板の伸縮に影響を与えず、かつ、フィルムの伸縮が導光板に影響を与えることを防止する。【解決手段】矩形状の光出射面、および、光出射面の少なくとも１辺を含む光入射面を有し、１辺を上方に、この１辺と対向する辺を下方にして配置される導光板と、光入射面に対向して配置される光源と、導光板に設けられるフィルム保持手段から垂下されて、前記光出射面の前に配置される少なくとも１枚のフィルムとを有することにより、前記課題を解決する。【選択図】図２
2010113839.tif 000002
【特許請求の範囲】
【請求項１】
矩形状の光出射面、および、前記光出射面の少なくとも１辺を含む光入射面を有し、１辺を上方に、この１辺と対向する辺を下方にして配置される導光板と、
前記光入射面に対向して配置される光源と、
前記導光板に設けられるフィルム保持手段から垂下されて、前記光出射面の前に配置される少なくとも１枚のフィルムとを有することを特徴とする面状照明装置。
【請求項２】
一方に形成された前記上下方向と直交する方向に延在する長孔と、他方に形成された前記長孔に挿入されるピンとによって、前記フィルムがフィルム保持手段から垂下される請求項１に記載の面状照明装置。
【請求項３】
前記上下方向と直交する方向の前記フィルムの中心に、前記フィルムの前記直交方向への移動を防止するフィルム固定手段を有する請求項１または２に記載の面状照明装置。
【請求項４】
前記光源が、所定の光源保持手段から垂下される請求項１〜３のいずれかに記載の面状照明装置。
【請求項５】
一方に形成された前記上下方向と直交する方向に延在する長孔と、他方に形成された前記長孔に挿入されるピンとによって、前記光源が光源保持手段から垂下される請求項４に記載の面状照明装置。
【請求項６】
前記上下方向と直交する方向の光源の中心に、前記光源のフィルムの前記直交方向への移動を防止する光源固定手段を有する請求項４または５に記載の面状照明装置。
【請求項７】
前記光出射面と、最も近接する前記フィルムとの間隙が０．０５〜０．２ｍｍである請求項１〜６のいずれかに記載の面状照明装置。
【請求項８】
複数枚の前記フィルムを有し、前記フィルム同士の間隔が０．０５〜０．２ｍｍである請求項１〜７のいずれかに記載の面状照明装置。
【請求項９】
対向する２辺に光入射面を有する請求項１〜８のいずれかに記載の面状照明装置。
【請求項１０】
前記導光板の厚さが、前記光入射面から離間するにしたがって、漸次、厚くなる請求項１〜９のいずれかに記載の面状照明装置。
【請求項１１】
前記光源が、前記導光板の光出射面と逆側の面を覆うように配置される板状部を有する請求項１〜１０のいずれかに記載の面状照明装置。
【請求項１２】
前記板状部材の光源から離間する方向の長さが、前記導光板の形状に応じて、前記導光板の光出射面と逆側の面よりも光出射面側に位置可能な最長長さに設定される請求項１１に記載の面状照明装置。
【発明の詳細な説明】
【技術分野】
【０００１】
本発明は、液晶表示装置などに用いられる面状照明装置に関する。
【背景技術】
【０００２】
液晶表示装置には、液晶表示パネルの裏面側から光を照射し、液晶表示パネルを照明するバックライトユニット（面状照明装置）が用いられている。バックライトユニットは、照明用の光源が発する光を拡散して液晶表示パネルを照射する導光板、導光板から出射される光を均一化するプリズムシートや拡散シートなどの部品を用いて構成される。
【０００３】
現在、大型の液晶テレビのバックライトユニットは、照明用の光源の直上に導光板を配置した、いわゆる直下型と呼ばれる方式が主流である。この方式では、光源である冷陰極管を液晶表示パネルの背面に複数本配置し、内部を白色の反射面として均一な光量分布と必要な輝度を確保している。
しかしながら、直下型のバックライトユニットでは、光量分布を均一にするために、液晶表示パネルに対して垂直方向の厚みが３０ｍｍ程度必要であり、これ以上の薄型化が困難である。
【０００４】
ここで、薄型化が可能なバックライトユニットとしては、照明用の光源から出射され、入射した光を、所定方向に導き、光が入射された面とは異なる面である光出射面から出射させる導光板を用いるバックライトユニットがある。
このような、導光板を用いたバックライトユニットとしては、透明樹脂に光を散乱させるための散乱粒子を混入させた板状を有し、板の端面の１面以上を光入射面として光源からの光を入射して、最大面の一面を光出射面とする導光板を用いる方式のバックライトユニットが提案されている。
【０００５】
例えば、特許文献１には、少なくとも１つの光入射領域および少なくとも１つの光取出面領域を有する光散乱導光体と前記光入射面領域から光入射を行う為の光源手段とを備え、前記光散乱導光体は前記光入射面から遠ざかるにつれて厚みを減ずる傾向を持った領域を有していることを特徴とする光散乱導光光源装置が記載されている。
また、特許文献２には、光散乱導光体と、光散乱導光体の光取出面側に配置されたプリズムシートと、光散乱導光体の裏面側に配置された反射体とを備えた面光源装置が記載されている。また、特許文献３には、プリズム列状の繰り返し起伏を有する光入射面と、光拡散性を与えられた光出射面を備えた板状の光学材料からなる光出射方向修正素子を備えた液晶ディスプレイが記載され、特許文献４には、内部に散乱能を与えられた光散乱導光体と、前記光散乱導光体の端面部から光供給を行う光供給手段を備えた光源装置が記載されている。
【０００６】
【特許文献１】特開平０７−３６０３７号公報
【特許文献２】特開平０８−２４８２３３号公報
【特許文献３】特開平０８−２７１７３９号公報
【特許文献４】特開平１１−１５３９６３号公報
【発明の開示】
【発明が解決しようとする課題】
【０００７】
ところで、このような導光板を用いるバックライトユニットにおいても、導光板の光出射面から出射した光を均一化して、より輝度ムラの無い光をとするために、光出射面の前に、プリズムシートや（光）拡散シート等の各種の機能を発現するフィルム（シート）を配置することが有る。
【０００８】
バックライトユニットでは、一般的に、これらのフィルムは、導光板に固定されたり、固定治具等によって所定の部位に固定される。
ここで、導光板や、これらのフィルムは、加熱や吸湿等によって伸縮する。従って、従来のバックライトユニットでは、導光板の伸縮をフィルムが妨害し、あるいは、フィルムの伸縮によって導光板が影響を受け、その結果、導光板の反りや歪みを生じてしまい、適正な照明光を出射することができない場合が有る。また、導光板に影響を与えることなく、フィルムが単体で伸縮した場合でも、やはり、フィルムが反ったり、歪んだりすると、やはり、フィルムが目的とする効果を発揮せず、その結果、目的とする照射光を出射することができなくなってしまう。
【０００９】
また、導光板の光出射面と、フィルムとが接触すると、干渉縞が生じてしまう場合があり、やはり、適正な照射光を液晶表示パネルに入射できなくなってしまう。
従って、導光板の光出射面とフィルムとは、若干、離間した状態を保って配置されるのが好ましいが、上述のような従来のバックライトユニットでは、導光板やフィルムの反りや歪みによって、導光板の光出射面とフィルムとが接触してしまう場合が有る。
【００１０】
本発明の目的は、前記従来技術の問題点を解決することにあり、光源と、導光板と、導光板の光出射面の前面に配置されるフィルムとを有する、液晶表示パネルのバックライトユニット等に利用される面状照明装置であって、フィルムが吸湿や加熱等による導光板の伸縮に影響を与えることが無く、かつ、吸湿や加熱等によるフィルムの伸縮が導光板に影響を与えることがなく、さらに、導光板やフィルムの歪みや反りも好適に防止して、これに起因する両者の接触も防止できる面状照明装置を提供することにある。
【課題を解決するための手段】
【００１１】
上記課題を解決するために、本発明は、矩形状の光出射面、および、前記光出射面の少なくとも１辺を含む光入射面を有し、１辺を上方に、この１辺と対向する辺を下方にして配置される導光板と、前記光入射面に対向して配置される光源と、前記導光板に設けられるフィルム保持手段から垂下されて、前記光出射面の前に配置される少なくとも１枚のフィルムとを有することを特徴とする面状照明装置を提供する。
【００１２】
このような本発明の面状照明装置において、一方に形成された前記上下方向と直交する方向に延在する長孔と、他方に形成された前記長孔に挿入されるピンとによって、前記フィルムがフィルム保持手段から垂下されるのが好ましく、また、前記上下方向と直交する方向の前記フィルムの中心に、前記フィルムの前記直交方向への移動を防止するフィルム固定手段を有するのが好ましい。
また、前記光源が、所定の光源保持手段から垂下されるのが好ましく、また、一方に形成された前記上下方向と直交する方向に延在する長孔と、他方に形成された前記長孔に挿入されるピンとによって、前記光源が光源保持手段から垂下されるのが好ましく、さらに、前記上下方向と直交する方向の光源の中心に、前記光源のフィルムの前記直交方向への移動を防止する光源固定手段を有するのが好ましい。
また、前記光出射面と、最も近接する前記フィルムとの間隙が０．０５〜０．２ｍｍである野が好ましく、また、複数枚の前記フィルムを有し、前記フィルム同士の間隔が０．０５〜０．２ｍｍであるのが好ましい。
さらに、対向する２辺に光入射面を有するのが好ましく、また、前記導光板の厚さが、前記光入射面から離間するにしたがって、漸次、厚くなるのが好ましく、また、前記光源が、前記導光板の光出射面と逆側の面を覆うように配置される板状部を有するのが好ましく、さらに、前記板状部材の光源から離間する方向の長さが、前記導光板の形状に応じて、前記導光板の光出射面と逆側の面よりも光出射面側に位置可能な最長長さに設定されるのが好ましい。
【発明の効果】
【００１３】
上記構成を有する本発明によれば、プリズムシートや拡散シート等は、導光板に設けられるフィルム保持手段に保持されるものの、フィルム保持手段に垂下（吊り下がった）状態で保持されるので、結果的に、導光板とフィルムとは、完全に独立したのと同様の状態で設置される。
そのため、加熱や吸湿等によって、導光板やフィルムが伸縮しても、互いに影響を与えることがなく、また、垂下状態であるので、伸縮に起因する導光板やフィルムの反りや歪みを防止することができる。また、フィルムの反りや歪みを防止できるので、これに起因する、導光板の光出射面とフィルムとの接触を防止でき、さらに、フィルムを導光板に設けられるフィルム保持手段から垂下するだけの簡易な構成で、フィルムと導光板、および、フィルム同士の間隙を、適正に維持して、フィルムを保持することができる。
【発明を実施するための最良の形態】
【００１４】
以下、本発明の面状照明装置について、添付の図面に示す好適実施例に基づいて詳細に説明する。
なお、以下の説明においては、導光板の２辺に光源からの光を入射させる２辺入射方式の面状照明装置を代表例とするが、本発明はこれに限定されないのはいうまでもないことである。
【００１５】
図１に、本発明の面状照明装置を利用する液晶表示装置の一例の概略斜視図を示す。
図１に示す液晶表示装置１０は、液晶テレビなど、いわゆる液晶表示パネル（液晶ディスプレイパネル＝ＬＣＤ）１２を用いる表示装置で、基本的に、前記液晶表示パネル１２と、本発明の面状照明装置にかかるバックライトユニット２０と、液晶表示パネル１２を駆動する駆動ユニット１４とを有する。
液晶表示装置１０は、基本的に、矩形の画像表示面（観察面）を有する液晶表示パネル１２の長辺を鉛直方向の上下にして配置され、また、バックライトユニット２０は、光出射面（光射出面）を液晶表示パネル１２に向けて、液晶表示パネル１２の背面（画像表示面と逆面）に配置される。なお、以下の説明では、便宜的に、液晶表示パネル１２（後述する導光板３０）の短辺の延在方向すなわち液晶表示パネル１２が適正に配置された場合の鉛直方向を上下（ＵＤ）方向、長辺の延在方向すなわち前記上下方向と直交する方向を左右（ＬＲ）方向とも言う。
なお、図１においては、バックライトユニット２０の構成を明瞭に示すため、液晶表示パネル１２の一部を省略している。
【００１６】
液晶表示パネル１２は、予め特定の方向に配列してある液晶分子に、部分的に電界を印加してこの分子の配列を変え、液晶セル内に生じた屈折率の変化を利用して、液晶表示パネル１２の表面上に文字、図形、画像などを表示する。
駆動ユニット１４は、液晶表示パネル１２内の透明電極に電圧をかけ、液晶分子の向きを変えて液晶表示パネル１２を透過する光の透過率を制御する。
【００１７】
バックライトユニット２０は、液晶表示パネル１２の背面から、液晶表示パネル１２の全面に光を照射する照明装置であり、液晶表示パネル１２の画像表示面と略同一形状の光出射口２４を有する。
図１および図２に示すように、図示例のバックライトユニット２０は、２つの光源２８（２８ａおよび２８ｂ）と、導光板３０と、３枚のフィルム３２（３２ａ，３２ｂおよび３２ｃ）と、反射板３４と、上部筐体３８と、下部筐体４０とを有して構成される。
なお、図２において、（Ａ）は、バックライトユニット２０から上部筐体３８を取り外した正面（液晶表示装置１０の表示面側）を概念的に示す図で、（Ｂ）は、バックライトユニット２０の図２（Ａ）Ｉ−Ｉ線断面を、（Ｃ）は、同II−II線断面を、概念的に示す図である。
【００１８】
下部筐体４０は、一面（最大面）が開放する直方体状の筐体で、２つの光源２８、矩形状の光出射面を有する導光板３０、３枚のフィルム３２、および、反射板３４等を所定位置に収容／保持する。導光板３０は、後述する光出射面３０ａを開放面に向けて、下部筐体４０に収容される。また、下部筐体４０の背面側には、光源２８に電力を供給する複数の電源を収納する電源収納部４９が取り付けられている。
他方、上部筐体３８は、いわゆる蓋体のように下部筐体４０を挿入する、下部筐体と同形状の筐体で、開放面と対向する面には、導光板３０から出射された光を液晶表示パネル１２の背面に照射するための光出射口２４が形成される。
【００１９】
図３に、導光板３０の概念図を示す。なお、図３において、（Ａ）は斜視図で、（Ｂ）は概略側面図（短辺方向から見た図）である。
図３に示すように、導光板３０は、光出射口３２の全面を包含可能かつ下部筐体に収容可能な矩形状（長方形状）の光出射面３０ａを有する板状の部材であり、前記光出射面３０ａと、前記光出射面３０ａの背面側の傾斜面３０ｂおよび３０ｃと、光出射面の長辺側の端面に設定される光入射面３０ｄおよび３０ｅを有する。光入射面３０ｄおよび３０ｅは、全く同形状の長方形であり、すなわち、厚さ（光出射面３０ａと直交する方向のサイズ）は等しい。
前述のように、液晶表示装置１０は、液晶表示パネル１２の長辺を上下にして、すなわち長辺を左右方向に延在して配置されるので、従って、導光板３０も、長辺側である光入射面３０ｄおよび３０ｅを上下にして配置される。図示例においては、一例として、光入射面３０ｄを上側とする。
【００２０】
図示例において、導光板３０は、好ましい態様として背面側の厚さは、矩形の光出射面３０ａの上下方向（すなわち短辺）の二等分線である中心線αに対応する位置（中心線αから立設する光出射面３０ａに対して垂直な平面上）において、この中心線αに平行な稜線３０ｆで、最も厚くなっている。すなわち、傾斜面３０ｂは、この稜線３０ｆと光入射面３０ｄの背面側の辺とを結ぶ、光出射面３０ａに対して傾斜する平面状の背面であり、傾斜面３０ｃは、この稜線３０ｆと光入射面３０ｅの背面側の辺とを結ぶ、光出射面３０ａに対して傾斜する平面状の背面である。
【００２１】
ここで、光入射面３０ｄおよび３０ｅは、同じ厚さであるので、傾斜面３０ｂおよび３０ｃ、中心線αおよび稜線３０ｆに対して対称となる。従って、図３（Ｂ）示すように、導光板３０は、光入射面３０ｄおよび３０ｅから離間するにしたがって、漸次、厚くなり、中心線αに対応する稜線３０ｆで、最大厚さとなる形状（以下、便宜的に「楔形」と称する）。
なお、稜線３０ｆにおける傾斜面３０ｂと傾斜面３０ｃとの接合は、平面同士に限定はされず、稜線３０ｆの近傍のみ、曲面状としてもよい。
【００２２】
図示例においては、２つの光入射面３０ｄおよび３０ｅから光を入射し、短辺方向に導光板３０内を伝播して、光出射面３０ａから液晶表示パネル１２の背面に光を入射する。
光入射面の厚さには、特に限定はない。ここで、光入射面が薄すぎると、十分な光を入射できず、光出射面３０ａから十分な輝度の光を出射できず、逆に、厚すぎると、重量が大きくなってしまい、液晶表示装置などの光学部材に不適となり、また、光が突き抜けて透過してしまうために、光利用効率が低下してしまう。以上の点を考慮すると、光入射面３０ｄおよび３０ｅの厚さは、０．５ｍｍ〜３．０ｍｍであるのが好ましい。
また、稜線３０ｆにおける厚さ（導光板３０の光伝播方向の中心部の厚さ）にも、特に限定はない。ここで、稜線３０ｆにおける厚さが厚すぎると、重量が大きくなってしまい、液晶表示装置などの光学部材に不適となり、また、光が突き抜けて透過してしまうために、光利用効率が低下してしまい、逆に、薄すぎると、成型が困難になり、その上、楔形とする効果も十分に得られない。以上の点を考慮すると、稜線３０ｆにおける導光板３０の厚さは、１．０ｍｍ〜６．０ｍｍとするのが好ましい。
【００２３】
図示例のように、導光板３０の形状を、光入射面から離間するにしたがって、漸次、厚くなる楔形とすることにより、入射した光をより奥（入射面から離間する方向）に伝播しやすくして、光利用効率を維持しながら面内均一性を向上させ、さらに、中高（中央部が高輝度）な、いわゆる釣鐘状の輝度分布を得ることができる。すなわち、このような形状とすることにより、従来の平板形状の導光板では中央が暗くなる分布を、均一あるいは中高な、いわゆる釣鐘状の分布とすることができる。
【００２４】
導光板３０は、内部に光を散乱させるための微小な散乱粒子が分散されているのが好ましく、一例として、透明樹脂に散乱粒子を混錬分散して、押出成形法や出射成形法によって形成される。
導光板３０に用いられる透明な樹の材料としては、例えば、ＰＥＴ（ポリエチレンテレフタレート）、ＰＰ（ポリプロピレン）、ＰＣ（ポリカーボネート）、ＰＭＭＡ（ポリメチルメタクリレート）、ベンジルメタクリレート、ＭＳ樹脂、あるいはＣＯＰ（シクロオレフィンポリマー）のような光学的に透明な樹脂が挙げられる。
また、導光板３０に混錬分散する散乱粒子としては、トスパール、シリコーン、シリカ、ジルコニア、誘電体ポリマ等が例示される。このような散乱粒子を導光板３０の内部に含有させることによって、均一で輝度むらが少ない照明光を光出射面３０ａから出射することができる。
【００２５】
ここで、本発明の面状照明装置に用いる導光板３０に分散させる散乱粒子の粒径は、４．０〜１２．０μｍとするのが好ましい。散乱粒子の粒径を、この範囲とすることにより、高い散乱効率を得ることができ、また、前方散乱性が大きくかつ波長依存性が少なく、色むらを好適に抑制できる等の点で好ましい。
なお、使用する散乱粒子は、単一粒径でもよく、あるいは、複数粒径の散乱粒子を混合して用いても良い。
【００２６】
導光板３０において、光の利用効率は、高い方が好ましい。すなわち、光の利用効率が低いと、必要な輝度を得るためには、より出力の大きな光源が必要となるが、より出力の大きな光源を用いると、光源が高温となり、消費電力が大きくなるばかりか、導光板３０の反りや伸びが大きくなり、所要の明るさの分布、いわゆる中高なあるいは釣鐘状の明るさの分布が得られなくなるからである。このような点を考慮すると、導光板３０の光の利用効率は、５５％以上であるのが好ましい。
また、大画面の薄型液晶テレビでは、画面の中央部付近が周辺部に比べて明るい分布、いわゆる中高（釣鐘状）の輝度分布が要求される。そのため、導光板３０は、光出射面３０ａにおいて、光入射面近傍からの出射光輝度に対す中央部からの出射光輝度の割合を示す輝度分布の中高度合が、０％より大きく２５％以下である必要があるのが好ましい。
【００２７】
さらに、導光板３０は、光入射面３０ｄおよび３０ｅ、光出射面３０ａ、光反射面となる傾斜面３０ｂおよび傾斜面３０ｃの少なくとも１面が、表面粗さＲａが３８０ｎｍ未満であるのが好ましい。
光入射面の表面粗さＲａを３８０ｎｍ未満とすることで、導光板表面の拡散反射を無視することができ、つまり、導光板表面での拡散反射を防止することができ、入射効率を向上させることができる。また、光出射面３０ａの表面粗さＲａを３８０ｎｍ未満とすることで、導光板表面の拡散反射透過を無視することができ、つまり導光板表面での拡散反射透過を防止でき、全反射により奥まで光を伝えることができる。さらに、光反射面の表面粗さＲａを３８０ｎｍ未満とすることで、拡散反射を無視することができ、つまり光反射面での拡散反射を防止でき、全反射成分をより奥まで伝えることができる。
【００２８】
本発明のバックライトユニット２０においては、公知の導光板と同様に、光反射面となる傾斜面３０ｂおよび傾斜面３０ｃなど、必要な部位に、光を導光板３０に向けて反射する反射板を設けるのが好ましい。反射板を設けることにより、光の利用効率を、より向上できる。
反射板は、導光板に利用されている公知のものが全て利用可能であり、例えば、例えば、ＰＥＴやＰＰ（ポリプロピレン）等にフィラーを混練後延伸することによりボイドを形成して反射率を高めた樹脂シート、透明もしくは白色の樹脂シート表面にアルミ蒸着などで鏡面を形成したシート、アルミ等の金属箔もしくは金属箔を担持した樹脂シート、あるいは表面に十分な反射性を有する金属薄板等が利用可能である。
【００２９】
ここで、後に詳述するが、導光板３０の光出射面３０ａの４隅、および上方の左右方向中央には、自身が後述する光源２８（その光源支持部５２）に垂下（吊り下げ）され、かつ、後述するフィルム３２を垂下するための、保持部材８４ａ〜８４ｅ（図３（Ａ）では、上部左右方向中央の保持部材８４ｃは省略）が固定される（図３（Ｂ）では省略）。
この点に関しては、後に詳述する。
なお、この保持部材８４ａ〜８４ｅの導光板３０への固定方法には、特に限定はなく、導光板３０および保持部材の形成材料や形状等に応じて、公知の方法が各種利用可能であるが、穿孔等の必要がなく、導光板３０の割れ等の損傷を防止できる等の点で、接着剤を用いる固定方法が好適である。
【００３０】
図４（Ａ）に光源２８（光源ユニット２８）の一部（左右方向の端部近傍）概略斜視図を示す。
図４（Ａ）に示すように、光源２８は、複数のＬＥＤチップ（発光ダイオード）５０と、光源支持部５２とを有し、ＬＥＤチップ５０を光源支持部５２に配列してなる構成を有する。
【００３１】
ＬＥＤチップ５０は、青色光を出射する発光ダイオードの表面に蛍光物質が塗布されたチップであり、所定面積の発光面を有し、この発光面５８から白色光を出射する。
具体的には、ＬＥＤチップ５０は、発光ダイオードの表面に塗布された蛍光物質が発光ダイオードから出射された青色光が透過することにより蛍光する特性を有する。このため、ＬＥＤチップ５０は、発光ダイオードから青色光を出射することで、青色光が透過された蛍光物質も発光し、この発光ダイオードから出射されそのまま蛍光物質を透過した青色光と、蛍光物質が蛍光されることで出射される光とで白色光を生成され、出射される。
ここで、ＬＥＤチップ５０としては、ＧａＮ系発光ダイオード、ＩｎＧａＮ系発光ダイオード等の表面にＹＡＧ（イットリウム・アルミニウム・ガーネット）系蛍光物質を塗布したチップが例示される。
【００３２】
なお、本発明の面状照明装置においては、光源２８には、ＬＥＤチップ５０以外にも各種の発光デバイスが利用可能であり、面状照明装置の用途に応じた、各種の発光デバイスが利用可能である。
例えば、図示例のような液晶表示装置１０であれば、赤色ＬＥＤ、緑色ＬＥＤ、青色ＬＥＤの３種類のＬＥＤを組み合わせた構成のＬＥＤユニットを用いてもよい。また、ＬＥＤの代わりに半導体レーザー（ＬＤ）を用いることもできる。
【００３３】
光源支持部５２は、２枚の長尺な板を長辺の端部で直角に接合してなる形状を有する、Ｌ字状の側面（断面）形状を有する長尺な板状部材である。
図示例において、ＬＥＤチップ５０は、光源支持部５２のＬ字短辺の上面に一定間隔で配列される。また、光源支持部５２は、ＬＥＤチップ５０を駆動する基板（図示省略）を有する。
光源２８ａは、Ｌ字を上下反転したような状態で、光源支持部５２のＬＥＤチップ５０の配列面を、導光板３０の光入射面３０ｄに向け、かつ、Ｌ字の長辺が導光板３０の傾斜面３０ｂに対面して、長手方向を左右方向に一致して、ＬＥＤチップ５０が光入射面３０ｄに対面するように配置される。
他方、光源２８ｂは、光源支持部５２のＬＥＤチップ５０の配列面を、導光板３０の光入射面３０ｅに向け、かつ、Ｌ字の長辺が導光板３０の傾斜面３０ｂに対面するように、同様に配置される。これにより、ＬＥＤチップ５０の光が、光入射面３０ｄもしくは３０ｅに入射して、導光板３０内を伝播されて、光出射面３０ａから出射する。
【００３４】
ここで、図４（Ｂ）に示すように、図示例においては、ＬＥＤチップ５０の配列方向の長さよりも、配列方向に直交する方向の長さが短い長方形形状、つまり、導光板３０の厚さ方向が短辺となる長方形形状を有する。言い換えれば、ＬＥＤチップ５０は、導光板３０の光出射面３０ａに垂直な方向の長さをａ、配列方向の長さをｂとしたときに、ｂ＞ａとなる形状である。
また、ＬＥＤチップ５０の配置間隔をｑとするとｑ＞ｂである。このように、ＬＥＤチップ５０の導光板３０の光出射面３０ａに垂直な方向の長さａ、配列方向の長さｂ、ＬＥＤチップ５０の配置間隔ｑの関係が、ｑ＞ｂ＞ａを満たすことが好ましい。
ＬＥＤチップ５０を長方形形状とすることにより、大光量の出力を維持しつつ、薄型な光源とすることができる。光源を薄型化することにより、面状照明装置を薄型にすることができる。また、ＬＥＤチップの配置個数を少なくすることができる。
【００３５】
なお、ＬＥＤチップ５０は、光源をより薄型にできるため、導光板３０の厚み方向を短辺とする長方形形状とすることが好ましいが、本発明はこれに限定されず、正方形形状、円形形状、多角形形状、楕円形形状等種々の形状のＬＥＤチップを用いることができる。
また、図示例では、ＬＥＤチップ５０を１列に配列したが、本発明はこれに限定されず、ＬＥＤチップ５０を、複数列に配列してもよい。
【００３６】
上側の光源２８ａの光源支持部５２は、図４（Ｃ）に模式的に示すように、ＬＥＤチップ５０が配列される面の板を貫通して、後述する下部筐体４０の支持ピン６０ａおよび６０ｂを挿通するための長孔７０ａおよび７０ｂ、ならびに、下部筐体４０の支持ピン６２を挿通するための貫通孔７２が形成される。また、左右方向の両端部近傍には、後述する導光板３０の支持部材８４ａおよび８４ｂを支持するための、支持ピン７４ａおよび７４ｂが固定される。
他方、下側の光源２８ｂには、図２（Ａ）に示すように、導光板３０に固定される支持部材８４ｄおよび８４ｅに係合する、支持ピン７４ｄおよび７４ｅが固定される。
これらについては、後に詳述する。
【００３７】
図２（Ｂ）および（Ｃ）に示すように、導光板３０の前面（光射出面３０ａの前）には、３枚のフィルム３２（３２ａ、３２ｂおよび３２ｃ）が配置される。
図示例においては一例として、フィルム３２ａは、導光板３０（光出射面３０ａ）から出射した照明光を拡散して輝度むらを低減する拡散シートで、フィルム３２ｂは、マイクロプリズム列が形成されたプリズムシートであり、さらに、フィルム３２ｃは、フィルム３２ｂ（プリズムシート）から出射した照明光を拡散して輝度むらを低減する拡散シートである。なお、フィルム３２ｂであるプリズムシートは、中心線α（左右方向）と平行な方向にマイクロプリズム列の稜線が延在するように、配置される。
また、各フィルム３２には、導光板３０に固定される支持部材８４ｃ、８４ｂおよび８４ｃに固定される支持ピン８６ａ，８４ｂおよび８４ｃを挿通するための長孔９０ａおよび９０ｂ、貫通孔９０ｃが形成される（図５（Ａ）参照）。
【００３８】
なお、拡散シートやプリズムシートは、公知の物が、各種、利用可能であるが、好適な一例として、本出願人の出願に係る特開２００５−２３４３９７号公報の［００２８］〜［００３３］に開示されているシート（フィルム）が例示される。
【００３９】
図示例のバックライトユニット２０では、フィルム３２として、２枚の拡散シート（３０ａおよび３０ｃ）、および、これに挟まれるプリズムシート（３０ｂ）を利用しているが、本発明は、フィルムの配置順序や配置数は特に限定されない。
また、プリズムシートおよび拡散シートを用いるものにも限定されず、導光板３０の光出射面３０ａから出射された照明光の輝度ムラを低減できるものであれば、種々の光学フィルムが利用可能である。例えば、光学フィルムとして、前記拡散シートおよびプリズムシートに加えて、あるいは代えて、拡散反射体からなる多数の透過率調整体を輝度ムラに応じて配置した透過率調整フィルムを用いてもよい。さらに、これ以外にも、バックライトユニット（面状照明装置）に利用される、各種の機能を発現するフィルムが、各種、利用可能である。
【００４０】
図示例のバックライトユニット２０においては、上方の光源２８ａが下部筐体４０に垂下（吊り下げ）され、この光源２８ａに導光板３０が垂下され、この導光板３０に、フィルム３２および下方の光源２８ｂが垂下された状態で、保持される。
以下、図２および図３、図５（Ａ）を参照して、その構成について説明する。
【００４１】
下部筐体３８の背面側内壁面において、上方の左右（ＬＲ）方向の中心部には、支持ピン６２が立設している。また、支持ピン６２と上下（ＵＤ）方向の同位置には、支持ピン６２から左右方向の一方に所定距離離間して支持ピン６０ａが、他方向に同距離離間して支持ピン６０ｂが、それぞれ立設される。
また、上方の光源２８ａの光源支持部５２においては、前述のように、ＬＥＤチップ５０が固定される板部に、導光板３０の厚さ方向に貫通して、左右方向の中心部に貫通孔７２が形成され、さらに、貫通孔７２から左右方向の一方に所定距離離間して、左右方向に延在して貫通する長孔７０ａが、他方向に同距離離間して同様の長孔７０ｂが、それぞれ形成される。この長孔７０ａおよび７０ｂは、共に、貫通孔７２の中心から左右方向の中心までの距離が、支持ピン６２と支持ピン６０ａおよび支持ピン６０ｂとの距離と等しくなるように形成される。
【００４２】
図示例のバックライトユニット２０においては、下部筐体７０の支持ピン６２を光源２８ａの貫通孔７２に、下部筐体７０の支持ピン６０ａを光源２８ａの長孔７０ａに、下部筐体７０の支持ピン６０ｂを光源２８ａの長孔７０ｂに、それぞれ挿通することによって、下部筐体７０が光源２８ａを所定位置に支持する。
ここで、バックライトユニット２０は、基本的に、導光板３０の短辺を上下方向にして（長辺を上下に位置して）配置される。従って、導光板３０の上方に対応する、光源２８ａは、下部筐体７０に垂下された状態で支持される。
【００４３】
また、光源２８ａの光源支持部５２において、ＬＥＤチップ５０が配列される板部の前面側の端面には、左右方向の一方の端部近傍に支持ピン７４ａが立設し、他方の端部近傍の上下方向の同位置に支持ピン７４ｂが立設している。さらに、支持ピン７４ａ等と上下方向の同位置で、かつ、左右方向の中心には、支持ピン７４ｃが立設されている。
他方、前述のように、導光板３０の光出射面３０ａの４隅には、保持部材８４ａ、８４ｂ、８４ｄ、および８４ｅが固定される。保持部材８４ａおよび８４ｂは上側に、保持部材８４ｄおよび８４ｅは下側に、それぞれ固定される。また、上部の左右方向の中央には、保持部材８４ｃが固定される。
導光板３０上側の左右方向端部に固定される保持部材８４ａおよび８４ｂには、それぞれ、上下方向の同位置に、左右方向に延在する貫通孔である長孔８８ａおよび８８ｂが形成される。この長孔８８ａおよび８８ｂは、共に、導光板３０の左右方向の中心から、自身（長孔）の左右方向の中心までの距離が、前記光源支持部５２に形成される貫通孔７２と、支持ピン７４ａおよび支持ピン７４ｂとの距離と等しくなるように形成される。
また、上側の中央に固定される保持部材８４ｃには、前記長孔８８ａ等と上下方向の同位置で、かつ、導光板３０の左右方向の中心に、貫通孔８８ｃが形成される。
【００４４】
図示例のバックライトユニット２０においては、光源２８ａの光源支持部５２の支持ピン７４ｃを貫通孔８８ｃに、光源２８ａの支持ピン７４ａを保持部材８４ａの長孔８８ａに、光源２８ａの支持ピン７４ｂを保持部材８４ｂの長孔８８ｂに、それぞれ挿通する。
これにより、導光板３０の光入射面３０ｄと、光源２８ａのＬＥＤチップ５０列とを対面して、導光板３０が、光源２８ａ（その光源支持部５２）によって垂下状態で支持される。ここで、各支持ピンおよび対応する保持部材の上下方向の位置は、光源２８ａ（ＬＥＤチップ５０の光出射面）と光入射面３０ｄとの距離が適正になるように設定されているのは、言うまでもない。
【００４５】
導光板３０に固定される保持部材８４ａには支持ピン８６ａが、保持部材８４ｂには支持ピン８６ｂが、左右方向中央の保持部材８４ｃには支持ピン８６ｃが、それぞれ、立設される。
また、図５（Ａ）に示されるように、フィルム３２の上端部には、左右方向の一方の端部に補強部材９２ａが、他方の端部に補強部材９２ｂが、それぞれ固定され、さらに、左右方向の中央には、補強部材９２ｃが固定される。
この補強部材９２ａおよび９２ｂには、上下方向の同位置に、左右方向に延在する貫通孔（フィルム３２も貫通）である長孔９０ａおよび９０ｂが形成される。この長孔９０ａおよび９０ｂは、共に、導光板３０の左右方向の中心から、自身（長孔）の左右方向の中心までの距離が、前記導光板３０の保持部材８４ｃの支持ピン８６ｃと、光源支持部５２に形成される貫通孔７２と、保持部材８４ａの支持ピン８６ａおよび保持部材８４ｂの支持ピン８６ｂとの距離と等しくなるように形成される。さらに、左右方向の中央の補強部材９２ｃには、支持ピン８６ａ等と上下方向の同位置で、かつ、左右方向の中心に、貫通孔９０ｃ（同前）が形成される。
【００４６】
図示例のバックライトユニット２０においては、導光板３０に固定される保持部材８４ｃの支持ピン８６ｃを補強部材９２ｃの貫通孔９０ｃに、同保持部材８４ａの支持ピン８６ａを補強部材９２ａの貫通孔９０ａに、保持部材８４ｂの支持ピン８６ｂを補強部材９２ｂの貫通孔９０ｂに、それぞれ挿通する。
これにより、フィルム３２が、導光板３０によって垂下状態で支持される。
【００４７】
さらに、前述のように、導光板３０の下端部の左右方向両端部には、保持部材８４ｄおよび８４ｅが固定される。この保持部材８４ｄには、貫通孔８８ｄが形成され、他方、保持部材８４ｅには、貫通孔８８ｄと上下方向の同位置に左右方向に延在する貫通孔である長孔８８ｅが形成される。
また、下方の光源２８ｂの光源支持部５２において、ＬＥＤチップ５０が配列される板部の前面側の端面には、支持ピン７４ｄおよび７４ｅが固定される。支持ピン７４ｄは、左右方向の中心位置からの距離が前記保持部材８４ｄの貫通孔８８ｄと同位置となるように、他方、左右方向の中心位置からの距離が前記保持部材８４ｅの長孔８８の左右方向の中心位置と同位置となるように、固定される。
【００４８】
図示例のバックライトユニット２０においては、導光板３０に固定される保持部材８４ｄの貫通孔８８ｄに下方の光源２８ｂの支持ピン７４ｄを、同保持部材８４ｅの長孔８８ｅに同支持ピン７４ｄを、それぞれ挿通する。
これにより、導光板３０の光入射面３０ｅと、光源２８ｂのＬＥＤチップ５０列とを対面して、下方の光源２８ｂが、導光板３０によって垂下状態で支持される。ここで、各支持ピンおよび対応する保持部材の上下方向の位置は、光源２８ｂ（ＬＥＤチップ５０の光出射面）と光入射面３０ｅとの距離が適正になるように設定されているのは、言うまでもない。
【００４９】
以上の説明より明らかなように、バックライトユニット２０においては、上方の光源２８ａが下部筐体４０に垂下されて支持され、この光源２８ａに導光板３０が垂下されて支持、この導光板３０に、フィルム３２および下方の光源２８ｂが垂下されて支持されることにより、各構成要素が、下部筐体４０内の所定位置に設置される。
【００５０】
バックライトユニット２０においては、光源２８の熱や、設置環境に起因する吸湿等によって、導光板３０およびフィルム３２が伸縮する。
従来のバックライトユニット（面状照明装置）では、フィルムが導光板や支持部材に固定されている。そのため、フィルムが導光板の伸縮に影響を与え、また、フィルム自身の伸縮が導光板に影響を与えてしまうために、フィルムに起因する導光板の反りや歪み、フィルムの歪みによる導光板と接触等が生じてしまう。
【００５１】
これに対し、本発明のバックライトユニット２０は、導光板３０に固定した保持手段によって、フィルム３２を垂下して所定位置に設置することにより、結果的に、導光板３０とフィルム３２とは、上下方向に完全に独立した状態と同様に設置できる。
そのため、導光板３０やフィルム３２が伸縮しても互いに影響を与えることがなく、また、垂下状態であるので、特に上下方向の伸縮に起因するフィルム３２の反りや歪みを防止することができる。また、フィルム３２の反りや歪みを防止できるので、これに起因する、導光板３０の光出射面とフィルム３２との接触を防止でき、さらに、フィルム３２を導光板３０に設けられるフィルム保持手段から垂下するだけの簡易な構成で、フィルムと導光板、および、フィルム同士の間隙を、適正に維持して、フィルムを保持することができる。
加えて、導光板３０の前面に配置したフィルム３２は、導光板３０に対して上部筐体３８の開放面を閉塞する状態となるので、フィルム３２が、導光板３０に対する防湿部材として作用する。その結果、本発明によれば、吸湿による導光板３０の伸縮を大幅に抑制することができ、吸湿に起因する導光板３０の反りや歪みも、大幅に抑制できる。
【００５２】
さらに、図示例においては、好ましい態様として、導光板３０も上方の光源２８ａから垂下状態で設置し、さらに、この導光板３０に下方の光源２８ｂを垂下状態で設置しているので、導光板３０も、自身の伸縮によって反りや歪みを生じることを防止できる。
なお、本発明は、この構成に限定はされず、導光板３０および／または下方の光源２８ｂを、公知の手段で固定状態で設置してもよい。
【００５３】
図示例においては、図５（Ａ）に示すように、フィルム３２の上端において、左右方向の両端および中心部に、独立した補強部材９２ａ、９２ｂおよび９２ｃを設けているが、本発明は、これに限定はされない。
例えば、図５（Ｂ）に示すように、フィルム３２の上端に、左右方向に延在する１つの補強部材９４を設け、この補強部材の左右方向の両端および中心部に、長孔９０ａおよび９０ｂ、および、貫通孔９０ｃを形成してもよい。
【００５４】
本発明のバックライトユニット２０において、導光板３０の光出射面３０ａと、最も近接するフィルム３２との間隔には、特に限定はないが、０．０５〜０．２ｍｍとするのが好ましい。両者の距離を、上記範囲とすることにより、フィルム３２の光学特性を好適に発現できると共に、前述の導光板３０の吸湿防止効果も、より好適に得ることができる。
また、フィルム３２同士の間隔にも、特に限定はないが、０．０５〜０．２ｍｍとするのが好ましい。フィルム３２同士の間隔を、上記範囲とすることにより、各フィルム３２の光学特性を好適に発現できると共に、前述の導光板３０の吸湿防止効果も、より好適に得ることができる。
なお、本発明においては、例えば、支持ピンに溝を形成する、間にワッシャ等のスペーさを配置する等の手段によって、光出射面３０ａとフィルム３２との間隔、フィルム３２同士の間隔を、適正に保つようにしてもよい。
【００５５】
図示例のバックライトユニット２０においては、導光板３０およびフィルム３２の係合を左右方向に延在する長孔と支持ピンとで行なっている。これにより、上下方向のみならず、左右方向の導光板３０やフィルム３２の伸縮も吸収することができ、左右方向の伸縮に起因する導光板３０やフィルム３２の歪みや反りも、好適に防止できる。
なお、この点に関しては、下部筐体４０と上方の光源２８ａ、上方の光源２８ａと導光板３０、および、導光板３０と下方の光源２８ｂとの関係においても、同様である。
【００５６】
ここで、図示例においては、好ましい態様として、導光板３０の左右方向の中心に支持ピン８６ｃを立設し、さらに、フィルム３２の左右方向の中心に、この支持ピン８６ｃとほぼ同サイズ（挿通可能にする分のみ大きい）の貫通孔９０ｃを形成して、支持ピン８６ｃを貫通孔９０ｃを挿通させている。
このように、左右方向の中心部を、左右方向に固定することにより、左右方向の伸縮を両側に分散することができ、伸縮に起因する端部の移動を、半分にすることができる。加えて、このような支持ピン８６ｃと貫通孔９０ｃとを有することにより、此処を基準位置として、フィルム３２の位置決めを行なうことができる。
この点に関しては、下部筐体４０と上方の光源２８ａ、および、上方の光源２８ａと導光板３０との関係においても、同様である。
なお、本発明において、左右方向の中心部の固定は、必須ではなく、左右方向の両端部（あるいは、中心から左右方向に所定距離離間した）の長孔と支持ピンのみで、各部材を垂下するようにしてもよい。
【００５７】
なお、図示例においては、導光板３０の保持部材に支持ピンを立設し、フィルム３２に貫通孔を形成することで、導光板３０によってフィルム３２を垂下したが、本発明は、これに限定はされず、逆に、フィルム３２にピンを立設し、導光板の保持部材（導光板自身でも可）に貫通孔を形成してもよい。また、保持部材を設けずに、導光板３０に、直接、支持ピンを立設してもよい。
この点に関しても、下部筐体４０と上方の光源２８ａ、上方の光源２８ａと導光板３０、および、導光板３０と下方の光源２８ｂとの関係においても、同様である。
【００５８】
液晶表示装置１０は、基本的に、このような構成を有する。
バックライトユニット２０において、導光板３０の上下に配置された光源２８から出射された光が、導光板３０の入射面３０ｄおよび入射面３０ｅに入射する。それぞれの面から入射した光は、導光板３０の内部に含まれる散乱体によって散乱されつつ、導光板３０内部を通過し、直接、または傾斜面３０ｂおよび傾斜面３０ｃで反射された後、光出射面３０ａから出射する。
このようにして、導光板３０の光出射面３０ａから出射された光は、フィルム３２を透過し、光出射口２４から出射され、液晶表示パネル１２を照明する。
液晶表示パネル１２は、駆動ユニット１４により、位置に応じて光の透過率を制御することで、液晶表示パネル１２の表面上に文字、図形、画像などを表示する。
【００５９】
図６に、本発明の面状照明装置にかかるバックライトユニットの別の例の上部筐体を取り除いた状態（図２（Ａ）と同様の状態）の概念図を示す。
なお、図６に示すバックライトユニット１００においては、ガイド部材１０２（１０２ａ〜１０２ｄ）を有する以外は、基本的に、前述のバックライトユニット２０と同様の構成を有するので、同じ部材には同じ符号を付し、説明は異なる部位を主に行なう。
【００６０】
図６に示すバックライトユニット１００においては、上側の光源２８ａの左右方向の端面の一端に対応する位置にガイド部材１０２ａが、他方の端面に対応する位置にガイド部材１０２ｂが、それぞれ配置され、さらに、下側の光源２８ｂの左右方向の端面の一端に対応する位置にガイド部材１０２ｃが、他方の端面に対応する位置にガイド部材１０２ｄが、それぞれ配置される。
なお、本態様においては、上側の光源２８ａに対応するガイド部材１０２ａおよびガイド部材１０２ｂは、無くてもよい。
【００６１】
また、図７（Ａ）に示すように、光源２８を構成する光源支持部５２のＬ字の長辺（導光板３０の背面で、上下方向に延在する部分）の外側端面には、上下方向に延在して、溝５２ａが形成されている。
【００６２】
図７（Ａ）にガイド部材１０２の正面図（左右方向から見た図）を、図７（Ｂ）に同側面図（導光板３０の厚さ方向から見た図）を概念的に示す。
ガイド部材１０２は、直方体状の基台１０４に、長尺な平板の中央部を湾曲してなり、平坦部を基台１０４に固定されたバネ部材１０８とから構成される。
このガイド部材１０２は、上下方向にバネ部材１０８を延在して、バネ部材１０８の湾曲部を、対応する光源２８の溝５２ａに挿入して、光源２８に当接するように、下部筐体４０の側面内壁に固定される。また、溝５２ａおよびバネ部材１０８は、光源２８とガイド部材１０２上下方向に摺動可能なように、配置／構成される。
【００６３】
図示例のバックライトユニット１００は、このようなガイド部材１０２を有することにより、溝５２ａとバネ部材１０８との係合によって、導光板３０が厚さ方向に移動することを防止できる。
また、溝５２ａおよびバネ部材１０８は、共に、上下方向に延在しているので、導光板３０が上下方向に伸縮しても、その伸縮を妨害することがない。さらに、その形状から明らかなように、バネ部材１０８は、左右方向に弾性を有するので、導光板３０が左右方向に伸縮しても、その伸縮を妨害することがなく、また、適正に追従する。
【００６４】
前述のように、光源２８を構成する光源支持部５２は、Ｌ字の短辺（下側の辺）の上面にＬＥＤチップ５０を配列してなる、略Ｌ字状であり、ＬＥＤチップ５０の配列面を導光板３０の光入射面（３０ｄ，３０ｅ）に対面し、Ｌ字の長辺を導光板の背面（傾斜面３０ｂ，３０ｃ）に対面して配置される。
ここで、この光源支持部５２のＬ字の長辺を構成する板状部は、ＬＥＤチップ５０の熱などを逃がす光源２８の放熱部材としても作用する。従って、光源支持部５２は、熱伝動性の良好な材料で形成するのが好ましい。
【００６５】
そのため、放熱効果を良好に得るために、図８に模式的に示すように、Ｌ字の長辺部の上下方向の長さを、導光板３０の背面に接触しない、ギリギリの長さまで長くして、面積を最大限にするのが好ましい。
このような構成を有することにより、放熱効果を最大限に得ることができ、通常、バックライトユニットで使用されている放熱グリスの量を、大幅に低減でき、あるいは、無くすことができる。
特に、図示例のバックライトユニット２０のように、下部の光源２８ｂも導光板３０に垂下して設置する構成では、光源２８ｂが筐体等に接触しないので、放熱効率が悪いが、上記光源支持部５２を最大限に長尺にする構成を有することにより、非常に良好な放熱効果を得ることができ、その効果は非常に大きい。
【００６６】
上述のバックライトユニットは、いずれも、板状の導光板３０の対向する端面（側面）２面を光入射面とするものであるが、本発明は、これに限定はされず、板状の導光板３０の端面４面を全て光入射面にしてもよく、あるいは、１面のみを光入射面としてもよい。
また、光入射面は、導光板３０の長辺ではなく、短辺でもよく、また、光入射面を上下面ではなく、左右方向の端面に設定してもよい。
【００６７】
また、図示例のバックライトユニットは、２面の光入射面から離間するにしたがって、厚さが次第に増加する前記楔形の形状を有するものであるが、本発明は、これに限定はされず、各種の面状照明装置に利用される導光板が利用可能である。
例えば、平板状の導光板、２面の光入射面から離間するにしたがって裏面側で厚さが次第に減少する形状の導光板等が例示される。あるいは、中心線αよりも何れかの端部に近い位置に稜線を有し、稜線に近い側の１面を光入射面とする導光板も、利用可能である。
【００６８】
以上、本発明に係る面状照明装置について詳細に説明したが、本発明は、以上の実施形態に限定されるものではなく、本発明の要旨を逸脱しない範囲において、各種の改良や変更を行ってもよい。
【図面の簡単な説明】
【００６９】
【図１】本発明の面状照明装置を利用する液晶表示装置の一例の概略斜視図である。
【図２】（Ａ）は、図１に示す液晶表示装置のバックライトユニットの概略正面図、（Ｂ）は、（Ａ）のI−I線断面、（Ｃ）は、（Ａ）のII−II線断面図である。
【図３】（Ａ）は、図２に示すバックライトユニットの導光板の概略斜視図、（Ｂ）は、その概略側面図である。
【図４】（Ａ）は、図２に示すバックライトユニットの光源の部分概略斜視図、（Ｂ）は、ＬＥＤチップの概略斜視図、（Ｃ）は、光源の概略部分正面図である。
【図５】（Ａ）および（Ｂ）は、図２に示すバックライトユニットに用いられるフィルムを概念的に示す図である。
【図６】本発明の面状照明装置にかかるバックライトユニットの別の例の概略正面図である。
【図７】（Ａ）は、図６に示すバックライトユニットの光源の概略側面図、（Ｂ）は、バックライトユニットに用いられるガイド部材の概略正面図、（Ｃ）は、同概略側面図である。
【図８】本発明の面状照明装置にかかるバックライトユニットの別の例の部分概略側面図である。
【符号の説明】
【００７０】
１０  液晶表示装置
１２  液晶表示パネル
１４  駆動ユニット
２０、１００  バックライトユニット
２４  光出射口
２８  光源
３０  導光板
３０ａ  光出射面
３０ｂ，３０ｃ  傾斜面
３０ｄ，３０ｅ  光入射面
３２  フィルム
３８  上部筐体
４０  下部筐体
４２  下部筐体
４９  電源収納部
５０  ＬＥＤチップ
５２  光源支持部
６０ａ，６０ｂ，６２，７４ａ，７４ｂ，７４ｃ，７４ｄ，７４ｅ，８６ａ，８６ｂ，８６ｃ，８６ｄ，８６ｅ  支持ピン
７０ａ，７０ｂ，８８ａ，８８ｂ，８８ｃ，８８ｅ，９０ａ，９０ｂ  長孔
７４ｃ，８８ｄ，９０ｃ  貫通孔
８４ａ，８４ｂ，８４ｃ，８４ｄ，８４ｅ  保持部材
９２ａ，９２ｂ，９４  補強部材
１０２  ガイド部材
１０４  基台
１０８  バネ部材
【図１】
2010113839.tif 000003
【図２】
2010113839.tif 000004
【図３】
2010113839.tif 000005
【図４】
2010113839.tif 000006
【図５】
2010113839.tif 000007
【図６】
2010113839.tif 000008
【図７】
2010113839.tif 000009
【図８】
2010113839.tif 000010